【手続補正書】
【提出日】平成18年3月27日(2006.3.27)
【手続補正１】
【補正対象書類名】特許請求の範囲
【補正対象項目名】全文
【補正方法】変更
【補正の内容】
【特許請求の範囲】
【請求項１】
成形プラスチック物品を成形構造体から取り出す装置であって、
ネックリング持上げ構造体、
を具備しており、
該ネックリング持上げ構造体が、
成形プラスチック物品の螺子ネック部と接触すべく構成されている第１部分と、
持上げ方向に実質的に垂直な線に沿って成形プラスチック物品の端部と接触すべく構成されている第２部分であって、成形プラスチック物品の端部の内側円周方向部とは接触しないように構成されているものと、
該第２部分の、該第１部分とは反対側に配置されている第３部分であって、該第３部分と該第２部分はその間に該持上げ方向に実質的に平行な分割線を持ち、該第３部分は該持上げ方向に実質的に平行な方向に該第２部分から離れたものと、
を有している、
装置。
【請求項２】
前記プラスチック物品が、金型コア上に装着されているプレフォームからなる、請求項１に記載の装置。
【請求項３】
前記プレフォームが、押縁、螺旋螺子及び円形封止面を備えているネック部を有しており、該円形封止面は、前記持上げ方向に実質的に垂直な円形係合部を有しており、且つ、前記持上げ構造体の第２部分が、該円形係合部の実質的に５０％と係合すべく構成されている、請求項２に記載の装置。
【請求項４】
前記持上げ構造体が、前記プレフォームネック部の押縁及び該プレフォームネック部の螺子部とそれぞれ係合する部分を有している、請求項３に記載の装置。
【請求項５】
前記持上げ構造体を前記持上げ方向に移動させる移動構造体を更に具備している、請求項１に記載の装置。
【請求項６】
前記持上げ構造体の第１部分が、前記持上げ方向において剪断力を前記成形プラスチック物品へ加え、且つ、該持上げ構造体の第２部分が、該持上げ方向において圧縮力を該成形プラスチック物品へ加える、請求項１に記載の装置。
【請求項７】
成形プレフォームを金型装置から取り出す構造体であって、
（ｉ）該成形プレフォームの螺子ネック部を把持し、（ｉｉ）該成形プレフォームの封止面の実質的に半分と接触し且つ該成形プレフォームへ圧縮力を加える、ネックリング持上げ部と、
該ネックリング持上げ部の下方に配置されている面を有しているネックリング封止部であって、該面は、該ネックリング持上げ部に対してほぼ９０度の角度で配置されている、ネックリング封止部と、
該成形プレフォームを該金型装置から取り出すべく、型開き行程の大半の間、該持上げ部を該成形プレフォームの端部と接触させたまま、該持上げ部と該金型装置との間の相対移動を引き起こす移動装置と、
を具備している構造体。
【請求項８】
前記移動装置は、成形プレフォームが凝固する前に、相対移動する、請求項７に記載の構造体。
【請求項９】
前記移動装置が、成形プレフォームの前記端部におけるスキン部が凝固した後に、相対移動する、請求項８に記載の構造体。
【請求項１０】
前記持上げ部が、
前記成形プレフォームネックの螺旋螺子部と係合すべく構成されている螺子部分と、
持上げ方向と実質的に平行である成形プレフォームの面と接触すべく構成されている円筒部分と、
持上げ方向と実質的に垂直である成形プレフォームの面と接触すべく構成されている端部部分と、
を備えている、請求項８に記載の構造体。
【請求項１１】
前記端部部分が、圧縮力を前記成形プレフォームに加え、前記螺子部分が、圧縮力及び剪断力の両方を該成形プレフォームへ加える、請求項１０に記載の構造体。
【請求項１２】
前記持上げ部が、ネックリングに配置されている、請求項７に記載の構造体。
【請求項１３】
前記持上げ部が、剪断力及び前記圧縮力の両方を前記成形プレフォームへ加える、請求項７に記載の構造体。
【請求項１４】
射出成形機であって、
溶融材料を受容し且つそれを成形プレフォームへと形成すべく構成されている金型キャビティと、
該成形プレフォームと係合すべく構成されている金型コアと、
圧縮力を該成形プレフォームの端部へ加えることによって該成形プレフォームを該コアから取り出すべく構成されているネックリング取出し構造体と、
を具備しており、
該ネックリング取出し構造体は、（ｉ）該成形プレフォームのネック部の螺旋螺子部分を把持し、（ｉｉ）型開き行程の大半を通して、該成形プレフォームの封止部の外側円周方向部の実質的に半分と接触すべく構成されており、
該ネックリング取出し構造体が、(ｉ)持上げ方向に実質的に垂直な持上げ面と、(ｉｉ)該持上げ方向に実質的に平行に配置されている封止面とを有し、該ネックリング持上げ面と該金型コアが、該持上げ方向に対して互いに段をなしているプレフォーム主封止面とプレフォーム副封止面とを備えるよう構成されている、
射出成形機。
【請求項１５】
成形プラスチックプレフォームを金型構造体から取り出す方法であって、
該成形プラスチックプレフォームの円形ネック部に螺子部分を係合する工程と、
該成形プラスチックプレフォームの円形ネック部の端部の実質的に５０％を、該取出し方向に実質的に垂直に配置されている持上げ面と接触させ、該プレフォームの開放端部上に段差のある封止面を形成する工程と、
該成形プラスチックプレフォームを該成形構造体から取り出すべく、型開き行程の大半を通して、該成形プラスチックプレフォームの該ネック部の該端部へ圧縮力を加える工程と、
を具備している方法。
【請求項１６】
前記接触させる工程と前記圧縮力を加える工程とが、ネックリングによって実行される、請求項１５に記載の方法。
【請求項１７】
ネックリングが、前記圧縮力を加える工程の間、前記成形プラスチックプレフォームへ剪断力をも加える、請求項１６に記載の方法。
【請求項１８】
前記接触させる工程が、金型コアのテーパ部を、前記持上げ面に対して鋭角を形成すテーパ面と接触させる工程からなる、請求項１５に記載の方法。
【請求項１９】
前記圧縮力を加える工程が、前記成形プラスチックプレフォームの内部が非固体である間に圧縮力を加える工程からなる、請求項１５に記載の方法。
【請求項２０】
前記少なくとも５０％と接触させる工程が、該プレフォームの該開放端部の円形部分の少なくとも５０％の外側円周方向部を接触させる工程からなる、請求項１５に記載の方法。
【請求項２１】
成形プラスチックプレフォームであって、
閉塞端部、開放端部、縦軸を備えた管状体と
該開放端部に隣接した螺子ネック部と、
該開放端部に設置され、該縦軸に実質的に垂直である封止面と、
を具備し、
該封止面は、該縦軸に実質的に平行な方向に互いに離れて並置されている主封止面と副封止面とを備える、
成形プラスチックプレフォーム。
【請求項２２】
前記封止面は実質的に円形であり、前記副封止面は前記主封止面の外側に配置されている、請求項２１に記載の成形プレフォーム。
【請求項２３】
前記封止面は実質的に円形であり、前記副封止面は前記主封止面よりも前記螺子ネック部に近く配置されている、請求項２１に記載の成形プレフォーム。
【請求項２４】
前記主封止面と前記副封止面を接続する、角度をなす面をさらに具備し、該角度をなす面は前記縦軸に対して鋭角をなしている、請求項２１に記載の成形プレフォーム。
【請求項２５】
前記主封止面と前記副封止面は、改変封止面を形成するよう構成されている、請求項２１に記載の成形プレフォーム。
【請求項２６】
前記主封止面と前記副封止面は、０.００１乃至０.００５インチ互いに離れている、請求項２１に記載の成形プレフォーム。
【請求項２７】
成形物品であって、
縦軸と開放端部を具備する本体と、
該開放端部に隣接する該本体の表面に形成された蓋取付け機構と、
該開口端部上の、該縦軸に実質的に垂直な方向に配置された封止面と、
を具備し、
該封止面は、互いに軸方向に離れている内側封止面と外側封止面を持ち、該外側封止面は、該縦軸に垂直な方向において該内側封止面よりも該蓋取付け機構に近く配置されている、
成形物品。
【請求項２８】
前記内側封止面は、前記開口端部を通して外側に延出する方向において、前記外側封止面よりもさらに延出している、請求項２７に記載の成形物品。
【請求項２９】
前記本体は、半球閉塞端部とその反対側に開放端部を持つ、管状ワンピースプラスチックプレフォームからなる、請求項２７に記載の成形物品。
【請求項３０】
前記内側封止面と前記外側封止面は、０.００１乃至０.００５インチ互いに離れている、請求項２７に記載の成形物品。
【請求項３１】
前記内側封止面と前記外側封止面を接続する段差面を更に備える、請求項２７に記載の成形物品。
【請求項３２】
前記段差面は、前記縦軸に対して鋭角をなして形成されている、請求項３１に記載の成形物品。
【請求項３３】
前記蓋取付け機構は、前記本体に形成された螺旋螺子を含む、請求項２７に記載の成形物品。
【請求項３４】
前記本体と、前記蓋取付け機構と、前記封止面は、一体型ワンピースプラスチック物品を構成する、請求項２７に記載の成形物品。
【請求項３５】
前記外側封止面は、前記縦軸に平行な方向において、前記内側封止面よりも前記蓋取付け機構に近く配置されている、請求項２７に記載の成形物品。
【請求項３６】
ワンピース一体型の成形プラスチックプレフォームであって、
縦軸と半球閉塞端部と開放端部を有する管状体と、
該開放端部に隣接した該管状体の外側表面に配置された螺旋螺子部と、
該螺旋螺子部と該閉塞端部の間の該管状体の外側表面に配置された押縁部と
該縦軸に実質的に垂直な面内の該開放端部に配置された円形封止面と
を有し、
該封止面は、該縦軸に実質的に平行な方向に互いに離れている、主封止面と副封止面を持つ、
成形プラスチックプレフォーム。
【請求項３７】
前記主封止面は、前記縦軸に垂直な方向で前記副封止面の外側に配置される、請求項３６に記載の成形プラスチックプレフォーム。
【請求項３８】
前記主封止面と前記副封止面は、互いに０．００１乃至０．００５インチ離れている、請求項３６に記載の成形プラスチックプレフォーム。
【請求項３９】
前記主封止面と前記副封止面を接続する段差面を更に有する、請求項３６に記載の成形プラスチックプレフォーム。
【請求項４０】
前記段差面は、前記縦軸に対して鋭角をなして形成される、請求項３１に記載の成形プラスチックプレフォーム。